(57)【要約】【課題】静電気放電を確実に防止することのできる静電気放電防止構造、及び静電気放電防止用絶縁体を提供する。【解決手段】筐体と、前記筐体に収納されたプリント配線板と、前記筐体内に収納され、前記プリント配線板の少なくとも片面全体を被覆するように配置された静電気放電防止用絶縁体と、を具備し、前記静電気放電防止用絶縁体は、前記プリント配線板の側部で、前記プリント配線板の側部を保護するように折り曲げられていること。【選択図】図４Ｂ
2008243737.tif 000002
【特許請求の範囲】
【請求項１】
筐体と、
前記筐体に収納されたプリント配線板と、
前記筐体内に収納され、前記プリント配線板の少なくとも片面全体を被覆するように配置された静電気放電防止用絶縁体と、
を具備し、
前記静電気放電防止用絶縁体は、前記プリント配線板の側部で、前記プリント配線板の側部を保護するように折り曲げられている
静電気放電防止構造。
【請求項２】
請求項１に記載された静電気放電防止構造であって、
前記プリント配線板の片面上には、電子部品が実装されており、
前記静電気放電防止用絶縁体は、前記電子部品の上から前記プリント配線板を被覆する
静電防止構造。
【請求項３】
請求項１又は２に記載された静電気放電防止構造であって、
前記筐体は、複数の部品を嵌合してなる
静電気放電防止構造。
【請求項４】
請求項１乃至３のいずれかに記載された静電気放電防止構造であって、
前記筐体には、ボタン用の開口が設けられており、
前記静電気放電防止用絶縁体には、前記開口から前記筐体外へ向けて突き出るように形成されたボタン部が形成されている
静電気放電防止構造。
【請求項５】
請求項１乃至４のいずれかに記載された静電気放電防止構造であって、
前記静電気放電防止用絶縁体は、前記プリント配線板の側部において、前記プリント配線板の側部を被覆する様に折り返されている
静電気放電防止構造。
【請求項６】
請求項５に記載された静電気放電防止構造であって、
前記静電気放電防止用絶縁体は、前記プリント配線板の側部で折り返されて、前記プリント配線板の両面全体を被覆している
静電気放電防止構造。
【請求項７】
請求項１乃至６のいずれかに記載された静電気放電防止構造であって、
前記静電気放電防止用絶縁体は、弾性を有するシート材である
静電気放電防止構造。
【請求項８】
請求項７に記載された静電気放電防止構造であって、
前記静電気放電防止用絶縁体は、ゴムシートである
静電気放電防止構造。
【請求項９】
筐体と前記筐体に収納されるプリント配線板との間に配置され、前記プリント配線板へ静電気が放電されることを防止する静電気放電防止用絶縁体であって、
前記プリント配線板の面形状に対応した形状に形成され、前記プリント配線板の少なくとも片面全体を被覆する面被覆部と、
前記面被覆部から、前記プリント配線板の側部を保護するように前記プリント配線板側に向かって延びる側部保護部と、
を具備する
静電気放電防止用絶縁体。
【請求項１０】
請求項９に記載された静電気放電防止用絶縁体であって、
更に、
前記筐体に設けられたボタン用の開口から前記筐体外へ向けて突き出るように形成されたボタン部、
を具備する
静電気放電防止用絶縁体。
【請求項１１】
請求項９又は１０に記載された静電気放電防止用絶縁体であって、
前記面被覆部は、前記プリント配線板の片面を被覆するように形成され、
前記側部保護部は、前記プリント配線板の他方の面の側で、前記プリント配線板の内側に向かって折り曲げられている
静電気放電防止用絶縁体。
【請求項１２】
請求項１１に記載された静電気放電防止用絶縁体であって、
前記側部保護部は、前記プリント配線板の内側に向かって延びて、前記他方の面全体を被覆するように形成されている
静電気放電防止用絶縁体。
【請求項１３】
請求項９乃至１２のいずれかに記載された静電気放電防止用絶縁体であって、
前記面被覆部及び前記側部保護部は、弾性を有するシート材で一体に形成されている
静電気放電防止用絶縁体。
【請求項１４】
請求項１３に記載された静電気放電防止用絶縁体であって、
前記面被覆部及び前記側部保護部は、ゴムシートである
静電気放電防止用絶縁体。
【発明の詳細な説明】
【技術分野】
【０００１】
本発明は、筐体に収納されたプリント配線板に対して静電気が放電するのを防止する、静電気放電防止構造、及び静電気放電防止用絶縁体に関する。
【背景技術】
【０００２】
リモコン機器等の携帯機器は、筐体にプリント配線板が収納された構造を有している。図１Ａは、このような携帯機器の構造を示す分解斜視図、図１Ｂはその概略断面図である。図１Ａ、Ｂでは、携帯機器として、ボタン付きのリモコン機器が例示されている。図１Ａ、Ｂに示されるように、その携帯機器は、筐体１０１と、筐体１０１内に収納されるプリント配線板１０２と、ボタン部１０４の形成されたゴムシート１０３と備えている。ゴムシート１０３のボタン部１０４は、筐体１０１に設けられた開口から、筐体１０１外に突き出ている。ゴムシート１０３はボタンの為に配置されており、通常、携帯機器の小型化などの観点から、可能な限り小さく形成される。また、筐体１０１は、製造工程の途中でプリント配線板１０２を収納するために、複数（２つ）の部材が嵌合して成っている。その嵌合部では僅かな隙間が生じる事がある。
【０００３】
こうした携帯機器においては、筐体１０１の嵌合部や、ボタン部などの僅かな隙間などから、静電気が侵入することがある。侵入した静電気がプリント配線板に放電されると、機器の破壊や誤動作を招くことがある。
【０００４】
静電気対策の一つとして、プリント配線板に搭載される電子部品を改良することで、静電気放電が発生したとしても不具合を生じない様にする事が行われている。
【０００５】
また、静電気対策としてプリント配線板に絶縁体を設ける工夫がなされることもある。こうした例として、特許文献１には、２重の絶縁膜を設けたプリント基板が開示されている。図２は、この特許文献１のプリント基板の構成を示す説明図である。図２に示されるように、このプリント基板は、本体１０５、基板１０６、導電体箔１０７、第１の絶縁膜１０８、第２の絶縁膜１０９を備えている。導電体箔１０７の設けられた基板面は第１の絶縁膜１０８で覆われている。第２の絶縁膜１０９は、第１の絶縁膜１０６上の基板１０６外周部に、静電防止帯として配置されている。この技術によれば、静電防止帯である第２の絶縁膜１０９により、導電体箔１０７に対する静電気放電をより確実に防止する事ができる。
【０００６】
また、特許文献２には、タクトキーの周辺に接着式絶縁シートを配置することが記載されている。その接着式絶縁シートにより、静電気を基板上のグランドパターンに放電させ、デバイスの誤動作及び電気的破損を防ぐことが記載されている。
【０００７】
また、特許文献３には、電気部品を覆うように絶縁性部品を設け、その電気部品の実装部に近接して設置された導電性皮膜を配置する事が記載されている。特許文献３には、絶縁性部品が絶縁破壊を起こす前に導電性皮膜を通じて静電気が放電される、と記載されている。
【０００８】
【特許文献１】特許第２５９１１４０号  公報
【特許文献２】特開平１０−１０６３８０号  公報
【特許文献３】特開２００６−１１４２９７号  公報
【発明の開示】
【発明が解決しようとする課題】
【０００９】
しかしながら、上記の従来例のようにしてプリント配線板に対して静電気対策を施すと、プリント配線板に対する処理工程が増加し、製造工程が複雑化することになる。また、静電気対策として、プリント配線板を被覆する絶縁膜を工夫した場合、絶縁膜で被覆された配線部分への静電気放電は防止できるものの、プリント配線板上に実装される電子部品のリードや電極などに対しては絶縁膜を形成できないので、効果がない。また、グランドパターン等に静電気を強制的に放電させる様にした場合、比較的に低電圧、低パワーの静電気放電に対しては有効であるものの、高電圧、大パワーの静電気放電に対しては十分な効果が発揮できないことがある。
【００１０】
従って、本発明の目的は、静電気放電を確実に防止することのできる静電気放電防止構造、及び静電気放電防止用絶縁体を提供することにある。
【課題を解決するための手段】
【００１１】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１２】
本発明の静電気放電防止構造は、筐体（１）と、筐体（１）に収納されたプリント配線板（４）と、筐体（１）内に収納され、プリント配線板（４）の少なくとも片面全体を被覆するように配置された静電気放電防止用絶縁体（５）と、を具備する。静電気放電防止用絶縁体（５）は、プリント配線板（４）の側部で折り曲げられ、プリント配線板（４）の側部を保護している。
【００１３】
この構成によれば、プリント配線板（４）の片面全体に加え、側部も静電気放電防止用絶縁体（５）によって保護される。従って、筐体（１）の隙間などから静電気が侵入したとしても、プリント配線板（４）には放電されず、絶縁破壊や誤動作を防止できる。また、静電気放電防止用絶縁体（５）は、プリント配線板（４）を覆う様に配置するだけでよく、プリント配線板（４）の製造工程を複雑化させることはない。
【００１４】
プリント配線板（４）の片面上に電子部品（７）が実装されている場合、静電気放電防止用絶縁体（５）は、電子部品（７）の上からプリント配線板（４）を被覆することが好ましい。このような構成によれば、電子部品（７）も静電気放電防止用絶縁体（５）により保護されるので、電子部品（７）のリードや電極端子に対する静電気放電も防止する事ができる。
【００１５】
筐体（１）は、複数の部品を嵌合してなることが好ましい。
【００１６】
筐体（１）には、ボタン用の開口（６）が設けられており、静電気放電防止用絶縁体（５）には、開口（６）から筐体（１）外へ向けて突き出るように形成されたボタン部（２）が形成されていることが好ましい。
【００１７】
このような構成によれば、ボタン形成用の材料を静電気放電防止用絶縁体（５）として用いることができるので、部材数が増加せず、構造や製造工程も複雑化しない。
【００１８】
静電気放電防止用絶縁体（５）は、プリント配線板（４）の側部において、プリント配線板（４）の側部を被覆する様に折り返されていることが好ましい。このような構成とすれば、プリント配線板（４）の側部において、より信頼性高く静電気放電を防止する事ができる。
【００１９】
静電気放電防止用絶縁体（５）は、プリント配線板（４）の側部で折り返されて、プリント配線板（４）の両面全体を被覆していることが好ましい。このような構成とすれば、プリント配線板（４）の両面において静電気放電を防止する事ができ、より信頼性を高める事ができる。
【００２０】
静電気放電防止用絶縁体（５）は、弾性を有するシート材であることが好ましい。静電気放電防止用絶縁体（５）は、ゴムシートの成型品であることが好ましい。
【００２１】
本発明の別の形態は、筐体（１）と筐体（１）に収納されるプリント配線板（４）との間に配置され、プリント配線板（４）へ静電気が放電されることを防止する静電気放電防止用絶縁体（５）である。この静電気放電防止用絶縁体（５）は、プリント配線板（４）の面形状に対応した形状に形成され、プリント配線板（４）の少なくとも片面全体を被覆する面被覆部（５ａ）と、面被覆部（５ａ）の側部からプリント配線板（４）側に向かって伸び、プリント配線板（４）の側部を保護する、側部保護部（５ｂ）と、を具備する。
【００２２】
この静電気放電防止用絶縁体（５）は、更に、筐体（１）に設けられたボタン用の開口（６）から筐体（１）外へ向けて突き出るように形成されたボタン部（２）、を具備することが好ましい。
【００２３】
面被覆部（５ａ）は、プリント配線板（４）の一方の面を被覆するように形成され、側部保護部（５ｂ）は、プリント配線板（４）の他方の面の側で、プリント配線板（４）の内側に向かって折り曲げられていることが好ましい。また、このとき、側部保護部（５ｂ）は、プリント配線板（４）の内側に向かって伸びて、その他方の面全体を被覆するように形成されていることが好ましい。
【００２４】
面被覆部（５ａ）及び側部保護部（５ｂ）は、弾性を有するシート材で一体に形成されていることが好ましい。また、面被覆部（５ａ）及び側部保護部（５ｂ）は、ゴムシートの成型品であることが好ましい。
【発明の効果】
【００２５】
本発明によれば、静電気放電を確実に防止することのできる静電気放電防止構造、及び静電気放電防止用絶縁体が提供される。
【発明を実施するための最良の形態】
【００２６】
（第１の実施形態）
本発明の第１の実施形態について、図面を参照しつつ説明する。本実施形態では、静電気放電防止構造を備えた機器として、リモコン機器を例に挙げて説明する。図３は、このリモコン機器の外観を概略的に示した斜視図である。
【００２７】
図３に示されるように、そのリモコン機器は、筐体１を有している。筐体１の一面には、ユーザが操作を行うためのボタン２が設けられている。筐体１は、２つの部材が嵌合して形成されており、その嵌合部には僅かな隙間３ができている。この隙間は、２つの部材を嵌合させた際に生ずるものであり、見通しはできない程度の隙間である。
【００２８】
図４Ａは、このリモコン機器の内部構成を概略的に示す分解斜視図、図４Ｂは図３ＡのＡＡ’に沿った概略断面図である。
【００２９】
図４Ａ、図４Ｂに示されるように、筐体１内には、プリント配線板４と、ゴムシート５とが収納されている。筐体１を構成する２つの部品のそれぞれは、プリント配線板４の両面それぞれに面するように配置される。これにより、嵌合部の隙間３は、プリント配線板４の側部に沿って設けられた格好となる。
【００３０】
図５を参照して、プリント配線板４の構造に付いて説明する。プリント配線板４の片面上には、半導体部品７、配線９、電極部８、リード付きの部品１１及びリード１０などが実装されている。半導体部品７は、リード端子を介してプリント配線板４に実装されている。電極８は、短絡により入力を認知するための電極であり、半導体部品７の入出力端子に配線を介して接続されている。リード付き部品１１は、例えばリモコン機器のＬＥＤに例示され、リード１０、配線を介して半導体部品７に接続されている。
【００３１】
尚、本実施形態では、プリント配線板４の片面上にこれらの部品群が実装される場合について説明するが、両面に部品群が実装される場合もある。また、プリント配線板４上に形成された配線９は、レジスト等の絶縁膜（図示せず）によって保護されている。
【００３２】
ゴムシート５は、静電気放電防止用絶縁体として、プリント配線板４と筐体１との間に配置されている。ゴムシート５は、ドーム状のボタン２を備えている。ボタン２は、プリント配線板４上の電極部８に対応する位置において、筐体１側に向けて突き出す様に設けられている。ボタン２は、筐体１に設けられた開口６を介して筐体１外部に突き出ている。また、ゴムシート５には、ボタン２の裏側に、導電性部材（図示せず）が取りつけられている。ボタン２の裏側はプリント配線板４から浮き上がっており、ボタン２が押下されない場合、導電性部材は電極８に接触しない。
【００３３】
ゴムシート５は、プリント配線板４の形状に対応した形状に加工されており、プリント配線板４の片面を完全に覆っている。プリント配線板４上に実装された半導体部品やリード付き部品１１のリード１０などもゴムシート５により覆われている。
【００３４】
また、図４Ｂに示した様に、ゴムシート５は、プリント配線板４の側部においてプリント配線板４側に折り曲げられている。この折り曲げ部分によってプリント配線板４の側部が保護されている。以下、ゴムシート５のうち、プリント配線板４の片面を被覆する部分を面被覆部５a、折り曲げられた部分を側部保護部５ｂとする。
【００３５】
尚、プリント配線板４の側部のうち、図４Ｂにおいて紙面に垂直な方向に位置する側部に対しては、側部保護部５ｂが設けられていてもよいし、設けられていなくてもよい。この位置に側部保護部５ｂを設けるか否かは、隙間３からプリント配線板４に静電気放電が起こるか否かを考慮して決められる。具体的には、隙間３と静電気放電を防止したい部分（プリント配線板４上に設けられた導電部分や電子部品の導電部分など）との間の離隔距離を考慮して決められるのが好ましい。その離隔距離が概ね２０ｍｍ以内である場合には、隙間３からプリント配線板４側への静電気放電が懸念されるので、設ける方が好ましい場合が多い。一方、その離隔距離が２０ｍｍよりも大きい場合には、静電気放電の懸念が少ないので、必ずしも設ける必要は無い場合が多い。側部保護部５ｂを設ければ、プリント配線板４に対する静電気放電の防止効果をより高める事ができる。一方、設けない場合は、ゴムシート５の加工工程が簡略化される。
【００３６】
ゴムシート５は、絶縁性を有するものであれば他の材料でも代用可能である。但し、弾性を有しておりボタン２の一体成形が容易であることから、ゴムシートが好ましく用いられる。
【００３７】
以上説明した構成を有するリモコンを使用する場合、ユーザは筐体１から突き出たボタン２を押下する。すると、ボタン２の裏側では、導電性材料が一時的に、対向するプリント配線板４の電極部８に押し当てられる。これにより、電極部８が導通し、ユーザによる入力操作が認識される。ボタン２はドーム状に成形されているので、ユーザによる操作が終了すると容易に復元して元の形状に戻り、電極部８での導通は切断される。
【００３８】
人体などは静電気を帯びており、ボタン２が押下されると筐体１の開口６で隙間が生じることから、静電気が筐体１の内部に侵入することが考えられる。しかしながら、ゴムシート５がプリント配線板４の片面（ボタン２側の面）全体を覆う様に配置されているので、プリント配線板４に対して侵入した静電気が放電することはない。また、筐体１の隙間３から静電気が内部に侵入したとしても、側部保護部５ｂの存在により、プリント配線板４の側部に静電気が放電される事はない。また、半導体部品８やリード付き部品１１のリード１０などを覆う様にゴムシート５が配置されているので、半導体部品８やリード付き部品１１に対して静電気放電が発生することも防止される。以上より、プリント配線板４に対する静電気放電を確実に防止でき、誤動作やレジスト等の絶縁破壊を防止する事ができる。
【００３９】
尚、本実施形態では、ボタン２形成用のゴムシートの形状を工夫することで、静電気放電防止用絶縁体とする場合について説明した。このように、本来ボタン形成用であるゴムシート５を静電気放電防止用絶縁体として用いれば、構造や製造工程を複雑化させることが無く好ましい。但し、ボタン形成用のゴムシート５とは別に、面被覆部５aと側部保護部５ｂとを有する絶縁体を設けたとしても、静電気放電を確実に防止するという作用については享受することができる。
【００４０】
（第２の実施形態）
続いて、第２の実施形態について説明する。図６は、本実施形態の静電気放電防止構造を有するリモコン機器の概略断面図である。本実施形態では、第１の実施形態と比較して、ゴムシート５の形状が更に工夫されている。ゴムシート５以外の点については第１の実施形態と同様の構成とする事ができるので、詳細な説明は省略する。
【００４１】
図６に示されるように、ゴムシート５の側部保護部５ｂは、第１の実施形態のそれよりも長く形成されている。側部保護部５ｂは、面被覆部５aの反対側で、プリント配線板４の内側に向かって折り曲げられている。すなわち、ゴムシート５全体としては、プリント配線板４の側部で折り返された形状となっている。
【００４２】
ゴムシート５をこのような形状とする事によって、プリント配線板４の側部が完全にゴムシート５で保護される。これにより、プリント配線板４の側部において静電気放電が発生することを、より確実に防止する事ができる。
【００４３】
（第３の実施形態）
続いて、第３の実施形態について説明する。図７は、本実施形態の静電気放電防止構造を有するリモコン機器の概略断面図である。本実施形態では、既述の実施形態と比較して、ゴムシート５の形状が更に工夫されている。ゴムシート５以外の点については既述の実施形態と同様の構成とする事ができるので、詳細な説明は省略する。
【００４４】
本実施形態では、側部保護部５ｂが、面被覆部５ｂとは反対側で、プリント配線板４の全面を覆う様に延びている。すなわち、プリント配線板４の両面がゴムシート５によって被覆された形状となっている。尚、図６において、紙面に対して垂直方向側におけるゴムシート５の端部は、閉じられていてもよいし、開放されていてもよい。
【００４５】
本実施形態のように、プリント配線板４の両面がゴムシート５により被覆された構造とする事で、プリント配線板４に対する静電気放電をより確実に防止する事ができる。特に、プリント配線板４の両面に電子部品が搭載された機器に対し適用すれば、プリント配線板４の両面が静電気から保護されるので、好ましい。
【図面の簡単な説明】
【００４６】
【図１Ａ】従来の機器の構成を概略的に示す分解斜視図である。
【図１Ｂ】従来の機器の構成を示す概略断面図である。
【図２】従来の機器の構成を示す説明図である。
【図３】第１の実施形態の機器の外観を概略的に示す斜視図である。
【図４Ａ】第１の実施形態の機器の構成を概略的に示す分解斜視図である。
【図４Ｂ】図３のＡＡ’に沿った概略断面図である。
【図５】プリント配線板の構成を概略的に示す分解斜視図である。
【図６】第２の実施形態の機器の構成を示す概略断面図である。
【図７】第３の実施形態の機器の構成を示す概略断面図である。
【符号の説明】
【００４７】
１      筐体
２      ボタン
３      隙間
４      プリント配線板
５      ゴムシート
５ａ    面被覆部
５ｂ    側部保護部
６      ボタン用開口
７      半導体部品
８      電極
９      配線
１０    リード
１１    リード付き部品
１０１  筐体
１０２  プリント配線板
１０３  ゴムシート
１０４  ボタン部
１０５  本体
１０６  基板
１０７  導電体箔
１０８  第１の絶縁膜
１０９  第２の絶縁膜
【図１Ａ】
2008243737.tif 000003
【図１Ｂ】
2008243737.tif 000004
【図２】
2008243737.tif 000005
【図３】
2008243737.tif 000006
【図４Ａ】
2008243737.tif 000007
【図４Ｂ】
2008243737.tif 000008
【図５】
2008243737.tif 000009
【図６】
2008243737.tif 000010
【図７】
2008243737.tif 000011